(57)【要約】      （修正有）【課題】既存の椅子に装着するだけで座のクッション性を改善し、着座中の快適性を大幅に改善し、既存の椅子の着座者との接触範囲を衛生的に被覆し得ると共に、既存の椅子の全体をバランス良く装飾して外的美観を高める上、榻背に所望の表示札を着脱自在に装着可能なものとする新たな椅子用の表示機能付きカバー装置技術を提供する。【解決手段】装着対象椅子９の座９０上に載置可能な付加クッション１、該付加クッション１を搭載した対象椅子９の座９０に外装可能な座カバー２、対象椅子９の榻背９１に被着可能とされ、後面６の外がわ適所に繋着部７が設けられ、該繋着部７に吊り下げられる表示札８の吊着部８０を、隠蔽可能な隠蔽シート６０を有した背カバー４、および、表示部８１の上部に吊着部８０が一体化された表示札８が組み合わせられてなる椅子用表示機能付きカバーセットである。【選択図】図１
2019017446.tif 000002
【特許請求の範囲】
【請求項１】
装着対象となる椅子の座上に載置可能な付加クッション、該付加クッションを搭載した対象椅子の座に上方から外装可能な形状の座カバー、対象椅子の榻背に被着可能な逆さ袋形状とされ、該逆さ袋形状の後面の外がわ適所に対し、表示札の吊着部を着脱自在な繋着部が設けられ、該繋着部に吊り下げられる表示札の吊着部を含む上部範囲を、隠蔽可能な隠蔽シートを有した背カバー、および、表示部の上部に吊着部が一体化された表示札が組み合わせられてなるものであることを特徴とする椅子用表示機能付きカバーセット。
【請求項２】
装着対象となる椅子の座上に載置可能な付加クッション、該付加クッションを搭載した対象椅子の座に上方から外装可能な形状の座カバー、対象椅子の榻背に被着可能な逆さ袋形状とされ、該逆さ袋形状の後面の外がわ適所に対し、表示札の吊着部を着脱自在な繋着部が設けられ、該繋着部に吊り下げられる表示札の吊着部を含む上部範囲を、隠蔽可能な隠蔽シートを有した背カバー、および、表示部の上部に吊着部が一体化された表示札が組み合わせられてなり、既存の椅子に外装して装飾すると共に、吊り下げ部分を露出することなく表示札を吊り下げ表示可能なものとしてなることを特徴とする椅子用表示機能付きカバーセット。
【請求項３】
榻背を有する装着対象となる椅子の座の天面形状に略一致する平面形状であって、該座上に安定載置可能な底面形状とされた付加クッション、該付加クッションの天面壁を覆う座面シート部、該座面シート部の外周縁に連続し、該付加クッションの外周壁と、少なくとも対象椅子座の脚、座などとの連結部分を除く座外周壁とを一まとめに包囲可能な周囲側面シート部、該周囲側面シート部の下端に設けられた下向き装着口縁、および、該下向き装着口縁の適所に、該下向き装着口縁に左右前後の少なくとも一部か、または、全部かの何れか一方を対象椅子座の下面がわに抑え込むよう仮止め可能な捲れ防止機構を有する座カバー、該座カバーとは別体であって、前面シート部、後面シート部の下端縁を除く外周部分が、対象椅子の榻背の輪郭形状に略一致するよう一体化されて下向き開口を有する逆さ袋形状とされ、該後面シート部の外面適所に対し、表示部の上部に吊着部が設けられた表示札の該吊着部を着脱自在に吊り下げ可能な繋着部としての上向き係合片が設けられ、該上向き係合片に吊り下げられる表示札の表示部よりも上方の吊着部を含む上部範囲を、対象椅子の榻背がわに向けて抑え込み可能且つ隠蔽可能な隠蔽シートを垂下状に有した背カバー、および、表示部の上部に吊着部が一体化された表示札が組み合わせられてなるものであることを特徴とする椅子用表示機能付きカバーセット。
【請求項４】
折り畳み機構を有した折り畳み式のパイプ椅子を装着対象とし、対象パイプ椅子の座の天面形状に略一致する平面形状であって、該座上に安定載置可能な底面形状とされた付加クッション、該付加クッションの天面壁を覆う座面シート部、該座面シート部の外周縁に連続し、該付加クッションの外周壁と、少なくとも対象パイプ椅子座と脚などとの折り畳み機構を含む連結部分を除く座外周壁とを一まとめに包囲可能な周囲側面シート部、該周囲側面シート部の下端に設けられた下向き装着口縁、および、該下向き装着口縁の適所に、該下向き装着口縁に左右前後の少なくとも一部か、または、全部かの何れか一方を対象パイプ椅子座の下面がわに抑え込むよう仮止め可能な捲れ防止機構を有する座カバー、該座カバーとは別体であって、前面シート部、後面シート部の下端縁を除く外周部分が、対象パイプ椅子の榻背の輪郭形状に略一致するよう一体化されて下向き開口を有する逆さ袋形状とされ、該後面シート部の外面適所に対し、表示部の上部に吊着部が設けられた表示札の該吊着部を着脱自在に吊り下げ可能な繋着部としての上向き係合片が設けられ、該上向き係合片に吊り下げられる表示札の表示部よりも上方の吊着部を含む上部範囲を、対象パイプ椅子の榻背がわに向けて抑え込み可能且つ隠蔽可能な隠蔽シートを垂下状に有した背カバー、および、表示部の上部に吊着部が一体化された表示札が組み合わせられてなるものであることを特徴とする椅子用表示機能付きカバーセット。
【請求項５】
背カバーの隠蔽シートが、背カバーの後面シート部の上部の左右全幅にわたって帯状に配され、上向き係合片の後外側への露出部分を含む当該背カバーの上がわ範囲に相当する上端縁および左右端縁に対して一体化されてなるものとした、請求項１ないし４何れか一記載の椅子用表示機能付きカバーセット。
【請求項６】
表示札が、防水性を有する合成樹脂製の縦長封筒形状とされた状袋と、表面に目的の表示がなされた表示部用の表示シートとの組合せからなり、該状袋は、上端寄りとなる左右端間適所に、背カバーの繋着部としての上向き係合片に係合可能であって、該表示シートを出し入れ可能な形状および寸法とされた係合孔が開口され、該状袋の係合孔よりも下方には、該表示シートの表示範囲に相当する範囲が、透明合成樹脂製のものか、または、開口窓のものかの何れか一つとされた表示部としての挿入袋が設けられ、該挿入袋には、係合孔より装着可能な寸法、形状とされた該表示シートが、該係合孔を通じて出し入れ自在に装着されてなるものとした、請求項１ないし５何れか一記載の椅子用表示機能付きカバーセット。
【請求項７】
背カバーの後面シート部が、上下端間中央付近にて、左右端間に亘り水平線状に切開されて上後面シート部と下後面シート部とに分割され、該上後面シート部が隠蔽シートとなり、該下後面シート部の上端寄りの内壁であって装着対象椅子の榻背の後壁に対峙する内壁の左右端間中央には、薄板状であって上端左右端間中央が上向きに突起する形状とされた繋着部としての上向き舌片の下端がわが一体化され、該上向き舌片の上向きに突起する上端がわが、該上後面シート部の装着対象椅子の榻背の後壁と、該上後面シート部の装着対象椅子の榻背の後壁に対峙する内壁との間に隠蔽されるよう上向き突出状に配置されてなるものとした、請求項１ないし６何れか一記載の椅子用表示機能付きカバーセット。
【請求項８】
座カバーと背カバーとが、互いに同系色、および、互いに統一された柄の少なくとも何れか一方のものとされてなる、請求項１ないし７何れか一記載の椅子用表示機能付きカバーセット。
【発明の詳細な説明】
【技術分野】
【０００１】
この発明は、椅子の座や榻背などに装着して装飾する椅子用カバーの技術に関連するものであり、特に、着座の快適性を改善可能としたり、榻背の後面に利用目的に応じた所望の表示を可能とする椅子用のカバーセットを製造、提供する分野は勿論のこと、その輸送、保管、組み立ておよび設置に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                      
【背景技術】
【０００２】
（着目点）
体育館などの広い屋内や、屋外に確保したスペースなどに大勢の参加者が集う、各種の行事や祭事、祭典、スポーツや芸能などの各種イベントなどを執り行う際に、その利用価値を大いに発揮する折り畳み式のパイプ椅子は、参加人数に応じた数の椅子を迅速且つ効率的に設置することができ、催しなどが終了した後には、速やかに撤去および収納できる手軽さを備え、しかもレンタルやリースなどの利用によって経済的に多数の椅子を準備することができるなどの理由から、様々な場面で利用され、例えば、式典やイベントなどに利用される場合には、パイプ椅子の榻背の後面に、参列者の氏名や企業名、団体名などが表示された札を貼着し、多数の参加者が滞りなく、準備された椅子に着席できるように配慮することが多い。
【０００３】
しかしながら、折り畳み敷きパイプ椅子は、一般に簡易的な椅子として広く認識され、普及していることから、例えば、起工式、表彰式などに招かれた来賓などのように、礼儀や格式が重視されるような場合には、パイプ椅子の外観が、不釣り合いなものとなってしまう虞があり、主催者を悩ませることがある外、会合場所が冬の屋外であったり、式典が長時間に及ぶものであったりする場合には、パイプ椅子のクッションの薄い座では、参加者の足腰に冷えや痛みを生じてしまう虞があるなど、その設置、利用に有効な利便性とは裏腹に、椅子としての外観的品位や、着座快適性などに劣るという難点があった。
【０００４】
（従来の技術）
こうした状況を反映し、その打開策となるような提案もこれまでに散見されない訳ではない。
例えば、下記の特許文献１（１）に提案されているものに代表されるように、パチンコ店の遊戯台前の通路に沿って配列された椅子の榻背に対し、上方から着脱自在に被せ得るよう、発泡ウレタン層を有するクッション性のシートを下方開放の矩形状袋に縫製してなる背凭れカバーを有し、該背凭れカバーの後面には面ファスナーを介して表示札が着脱自在に装着されてなり、旧型の凭れカバー背面に設けられた透明ポケットに表示札を装着するものに比較し、表示札のサイズをより自由に設定できるようにしてなるパチンコ店の表示用具や、同特許文献１（２）に見られるような、野外用椅子背凭れ上部に着脱自在に設置するタオル支持部を備えており、近辺の通行人が容易に認識可能な宣伝表示部を有してなるようにしたタオル支持部を有するシート枕装置なども散見される。
【０００５】
前記特許文献１（１）に示されているような椅子の榻背への脱着が可能なパチンコ店の表示用具は、長時間に亘って顧客が快適に座り続けられるよう、座のクッション性が高められたパチンコ店の椅子に装着するものであり、カバーの装着対象は、椅子の榻背のみに限定されるものとなっているから、本願発明品の装着対象となるパイプ椅子では、冬季の野外で長時間に亘って着座することによる寒さや脚腰の痛みなどを防止する効果は得られないという欠点があり、また、特許文献１（２）のタオル支持部を備えたシート枕装置なども、野外用椅子の榻背のフレーム上端に、タオルを挟み込むよう着脱自在な枕からなり、それ以外の座の部分などへのカバー類の装着を伴わず、ヘッドレスト部分を有さないパイプ椅子には、その構造上、如何にしても装着することができないものであった。                                                                        
【特許文献１】（１）実用新案登録第３０９９２１８号公報    （２）米国特許第５８２９８３２号明細書
【発明の概要】
【発明が解決しようとする課題】
【０００６】
（問題意識）
上述したとおり、従前までに提案のある椅子の榻背に着脱可能とされた榻背カバーに対して、表示札が着脱自在に設けられたパチンコ店の表示用具や、近辺の通行人が容易に認識できるよう外側全域に宣伝表示部が設けられたシート枕装置などの各種椅子用の表示具類は、何れも榻背付近だけをカバーするよう装着可能なものとしてあり、パチンコ店の椅子に相応しい外観を確保しつつ、表示札による表示を実現化したり、タオルを仮固定状に装着してビーチやプールサイドなどに設置する椅子に相応しい外観を得ることができるようにしたものとなっている。
しかし、パイプ椅子の全体的外観を各種式典や行事などに好都合な品格有る装飾を実現化し、さらに、パイプ椅子の座のクッション性や保温性を高めて着座中の快適性を向上できるようにしたものとはなっておらず、本願出願人は、例えば、起工式や竣工式の式典などの参列者にパイプ椅子を提供するに際し、会場に搬入した既存の折り畳み式パイプ椅子を展開し、所望の位置に配列すると共に、必要に応じて拭き掃除した後、榻背に粘着テープなどで参加者の表示札を貼り付けただけの既存のパイプ椅子の利用に疑問を抱き、既存のパイプ椅子に出席者の氏名や企業、団体名などを表示するのみに留まらず、パイプ椅子全体の外的な美観および気品を高めることができると共に、着座した際の快適性を大幅に改善し、さらに、不特定多数の人々が利用する既存のパイプ椅子の座や榻背の汚れやクッション外装などの軽微な劣化などを隠蔽、隔離し、参列者の衣類や身体の汚損を防止し、さらに、ウィルスや細菌などの感染を未然に防ぐよう衛生的に被覆することができる新技術の開発の必要性を痛感するに至った。
【０００７】
（発明の目的）
そこで、この発明は、既存の椅子に装着するだけで座のクッション性を改善し、着座中の快適性を大幅に改善し、既存の椅子の着座者との接触範囲を衛生的に被覆し得ると共に、既存の椅子の全体をバランス良く装飾して外的美観を高める上、榻背に所望の表示札を着脱自在に装着可能なものとする新たな椅子用の表示機能付きカバー装置技術の開発はできないものかとの判断から、逸速くその開発、研究に着手し、長期に渡る試行錯誤と幾多の試作、実験とを繰り返してきた結果、今回、遂に新規な構造の椅子用表示機能付きカバーセットを実現化することに成功したものであり、以下では、図面に示すこの発明を代表する実施例と共に、その構成を詳述することとする。                                                                          
【課題を解決するための手段】
【０００８】
（発明の構成）
図面に示すこの発明を代表する実施例からも明確に理解されるように、この発明の椅子用表示機能付きカバーセットは、基本的に次のような構成から成り立っている。
即ち、装着対象となる椅子の座上に載置可能な付加クッション、該付加クッションを搭載した対象椅子の座に上方から外装可能な形状の座カバー、対象椅子の榻背に被着可能な逆さ袋形状とされ、該逆さ袋形状の後面の外がわ適所に対し、表示札の吊着部を着脱自在な繋着部が設けられ、該繋着部に吊り下げられる表示札の吊着部を含む上部範囲を、隠蔽可能な隠蔽シートを有した背カバー、および、表示部の上部に吊着部が一体化された表示札が組み合わせられてなるものとした構成を要旨とする椅子用表示機能付きカバーセットである。
【０００９】
この基本的な構成からなる椅子用表示機能付きカバーセットは、その表現を変えて示すならば、装着対象となる椅子の座上に載置可能な付加クッション、該付加クッションを搭載した対象椅子の座に上方から外装可能な形状の座カバー、対象椅子の榻背に被着可能な逆さ袋形状とされ、該逆さ袋形状の後面の外がわ適所に対し、表示札の吊着部を着脱自在な繋着部が設けられ、該繋着部に吊り下げられる表示札の吊着部を含む上部範囲を、隠蔽可能な隠蔽シートを有した背カバー、および、表示部の上部に吊着部が一体化された表示札が組み合わせられてなり、既存の椅子に外装して装飾すると共に、吊り下げ部分を露出することなく表示札を吊り下げ表示可能なものとされた構成からなる椅子用表示機能付きカバーセットということができるものである。
【００１０】
より具体的には、榻背を有する装着対象となる椅子の座の天面形状に略一致する平面形状であって、該座上に安定載置可能な底面形状とされた付加クッションが設けられ、該付加クッションの天面壁を覆う座面シート部、該座面シート部の外周縁に連続し、該付加クッションの外周壁と、少なくとも対象椅子座の脚、座などとの連結部分を除く座外周壁とを一まとめに包囲可能な周囲側面シート部、該周囲側面シート部の下端に設けられた下向き装着口縁、および、該下向き装着口縁の適所に、該下向き装着口縁に左右前後の少なくとも一部か、または、全部かの何れか一方を対象椅子座の下面がわに抑え込むよう仮止め可能な捲れ防止機構を有する座カバーが設けられ、該座カバーとは別体であって、前面シート部、後面シート部の下端縁を除く外周部分が、対象椅子の榻背の輪郭形状に略一致するよう一体化されて下向き開口を有する逆さ袋形状とされ、該後面シート部の外面適所に対し、表示部の上部に吊着部が設けられた表示札の該吊着部を着脱自在に吊り下げ可能な繋着部としての上向き係合片が設けられ、該上向き係合片に吊り下げられる表示札の表示部よりも上方の吊着部を含む上部範囲を、対象椅子の榻背がわに向けて抑え込み可能且つ隠蔽可能な隠蔽シートを垂下状に有した背カバーが設けられ、該背カバーの上向き係合片に対して、表示部の上部に吊着部が一体化された表示札が、該に吊着部を介して着脱自在に吊下されてなるものとした構成からなる椅子用表示機能付きカバーセットとなる。
【００１１】
さらに具体的なものとして示すと、折り畳み機構を有した折り畳み式のパイプ椅子を装着対象とし、対象パイプ椅子の座の天面形状に略一致する平面形状であって、該座上に安定載置可能な底面形状とされた付加クッションが設けられ、該付加クッションの天面壁を覆う座面シート部、該座面シート部の外周縁に連続し、該付加クッションの外周壁と、少なくとも対象パイプ椅子座と脚などとの折り畳み機構を含む連結部分を除く座外周壁とを一まとめに包囲可能な周囲側面シート部、該周囲側面シート部の下端に設けられた下向き装着口縁、および、該下向き装着口縁の適所に、該下向き装着口縁に左右前後の少なくとも一部か、または、全部かの何れか一方を対象パイプ椅子座の下面がわに抑え込むよう仮止め可能な捲れ防止機構を有する座カバーが設けられ、該座カバーとは別体であって、前面シート部、後面シート部の下端縁を除く外周部分が、対象パイプ椅子の榻背の輪郭形状に略一致するよう一体化されて下向き開口を有する逆さ袋形状とされ、該後面シート部の外面適所に対し、表示部の上部に吊着部が設けられた表示札の該吊着部を着脱自在に吊り下げ可能な繋着部としての上向き係合片が設けられ、該上向き係合片に吊り下げられる表示札の表示部よりも上方の吊着部を含む上部範囲を、対象パイプ椅子の榻背がわに向けて抑え込み可能且つ隠蔽可能な隠蔽シートを垂下状に有した背カバーが設けられ、該背カバーの上向き係合片に対して、表示部の上部に吊着部が一体化された表示札が、該に吊着部を介して着脱自在に吊下されてなるものとした構成からなる椅子用表示機能付きカバーセットとなる。                                                                
【発明の効果】
【００１２】
以上のとおり、この発明の椅子用表示機能付きカバーセットによれば、従前までのものとは違い、上記したとおりの固有の特徴ある構成から、装着対象となる椅子の座のクッション性を改善して、長時間に亘る着座も快適とし、冬季の屋外を会場とした行事などにも快適に参加することができるよう保温性を高めることができる上、装着対象となる椅子の座と榻背とを外装可能な座カバーおよび背カバーを有し、それら座カバーおよび背カバーの色や柄を自由に選択、設定されたものとすることができるから、行事や式典などの性質に合わせた品位や品格を視覚的に表現されたものとすることが可能となり、しかも装着対象となる椅子の座と榻背とを衛生的に被覆することができ、不特定多数の人々が利用する椅子に付着した汚れやウィルス、細菌などが着座者の衣類や身体に付着してしまうのを確実に防止することができ、さらに、背カバーには、表示札が着脱自在に吊下されたものとしてあるから、広い会場であっても多数の出席者が、迷うことなく円滑に指定席に着座することができ、会場の混雑を未然に防止できるものになるという秀でた特徴が得られるものである。
【００１３】
加えて、背カバーが、後面の外がわ適所に対し、表示部の上部に吊着部が設けられた表示札の該吊着部を着脱自在に吊り下げ可能な繋着部が設けられ、該繋着部に吊り下げられる表示札の表示部よりも上方の吊着部を含む上部範囲を、隠蔽可能な隠蔽シートが設けられ、表示部の上部に吊着部が一体化された表示札が組み合わせ可能なものとされているから、表示札の吊着部が隠蔽シートによって視覚的に隠蔽され、外観が向上するものとなり、さらに、隠蔽シートが吊着部を外がわから抑え込む構造とされたものは、表示札の不用意な脱落をより確実に防止できるものとなり、繋着部が上向き係合片とされたものは、表示札の吊着部を、より確実に吊り下げ保持可能なものとなり、さらに、繋着部が上向き舌片とされたものは、隠蔽シートの装着対象椅子の榻背の後方への突出量を小さく抑えて、狭い場所に設置された場合にも、榻背の後方を通過する人が接触してしまうのを防止し、一段と優れた外的美観を呈するものとすることが可能となる。
【００１４】
また、折り畳み機構を有する折り畳み式のパイプ椅子を装着対象とし、対象パイプ椅子座の脚、座などとの折り畳み機構を含む連結部分を除く座外周壁とを一まとめに包囲可能な周囲側面シート部を有する座カバーが設けられたものは、当該椅子用表示機能付きカバーセットを装着したまま、折り畳み式のパイプ椅子を折り畳み、輸送および保管することができるものとなり、会場の設置や撤収の作業効率を大幅に改善し得るものとなる。
【００１５】
さらに、捲れ防止機構を有する座カバーは、着座者の動きや、未着座の際に風の吹き付けなどを受けた際にも、座カバーが捲れたり、脱落したりするのを未然に防止することができる上、装着状態の折り畳み式のパイプ椅子を折り畳んで運搬したり、保管したりする場合にも、座カバーの外れや脱落を未然に防止することができるという利点が得られるものとなる。                  
【発明を実施するための最良の形態】
【００１６】
上記したとおりの構成からなるこの発明の実施に際し、その最良もしくは望ましい形態について説明を加えることにする。
付加クッションは、椅子の座の上部に着脱自在に搭載され、座のクッション性を高めて着座の快適性を高める機能を担うものであり、着座荷重を受けた場合に充分な緩衝性を発揮可能な弾性素材製のものとしなければならず、さらに、内部に空気を蓄えることが可能なポーラス状、ウール状または綿状などの断面構造を有するものとして冬季の保温性を確保可能なものとするのが望ましく、より具体的には、綿、羊毛、羽毛、樹脂綿、スポンジ、発泡ウレタン、バネ、その他のクッション材、または、それらの組み合わせなどからなるものとすることが可能であり、例えば、連続発泡または独立発泡の何れか一方の軟質合成樹脂製のものとすることができ、さらにまた、該クッション材が、通気性および防水性の少なくとも何れか一方の性質を有する袋状カバーによって被覆されてなるものとすることが可能である。
【００１７】
そして、適所に椅子の座のへの仮固定用のバンドを設けたものや、座カバーの外側壁と接合する複数適所に、雄・雌面ファスナーやホック釦、ファスナーなどの仮固定構造が介在するよう設けられたものなどとすることが可能であり、より具体的には、装着対象となる椅子の座の平面形状に略一致する矩形袋状の防水性を確保した合成皮革製、合成樹脂や綿その他の布製、または、通気性を有する合成樹脂ネット製などの何れか一つか、または、それらの組み合わせかの何れか一方の袋状外皮に、充分な厚みを確保可能なクッション材を充填してなるものとすることが可能である外、クッション材と外皮とが一体化されたものとすることも可能であり、外表面、特に底壁が凹凸面とされて、椅子の座上面との間の摩擦を大きくし、より一層安定した搭載を可能とされたものとすることができ、後述する実施例にも示してあるように、装着対象となる椅子の座の平面形状に略一致する矩形袋形状とされた軟質合成樹脂製の防水性カバー内に、軟質発泡樹脂製の充分な厚みを確保したクッション材が充填されてなるものとすることができる。
【００１８】
座カバーは、装着対象となる椅子の座上に搭載された付加クッション、および該対象椅子の座を、外観上は、１つの座を呈するよう上方から一まとめに覆って対象椅子の座周辺の美観を高めるよう装飾すると共に、対象椅子の座周辺を衛生的に被覆し、付加クッションおよび座の汚れや損傷などを視覚的に隠蔽可能な上、付加クッションを対象椅子の座上に仮固定状に抑え付ける機能を担っており、対象椅子の該付加クッションを搭載した座に、上方から下向きに外装可能な下向き装着口縁を有する袋状のものとしなければならず、布製、軟質合成樹脂シート製、皮革製、それらの組み合わせ素材製、布と合成樹脂の複合的素材製、各種素材からなる網製などとすることが可能であり、該座カバーと背カバーとが、互いに同系色、および、互いに統一された柄の少なくとも何れか一方のものとされてなるものとすることができ、付加クッションを仮固定可能なバンドや、複数適所に設けられたホック釦や面ファスナーなどの仮固定構造が設けられたものとすることが可能である。
【００１９】
したがって、後述する実施例にも示しているが、該付加クッションの天面壁を覆う座面シート部、該座面シート部の外周縁に連続し、該付加クッションの外周壁と、少なくとも対象椅子座の脚、座などとの連結部分（対象椅子が折り畳み機構を有した折り畳み式のパイプ椅子の場合には、折り畳み機構を含む連結部分））を除く座外周壁とを一まとめに包囲可能な周囲側面シート部、該周囲側面シート部の下端に設けられた下向き装着口縁、および、該下向き装着口縁の適所に、該下向き装着口縁に左右前後の少なくとも一部か、または、全部かの何れか一方を対象椅子座の下面がわに抑え込むよう仮止め可能な捲れ防止機構を有してなるものとするのが望ましく、さらにまた、前記付加クッションが、座面シート部の上下面何れか一方に一体化されたもの、または、前記付加クッションが、座面シート部に置き換えられ、座面シート部としての付加クッションの外周壁に周囲側面シート部が一体に設けられたものなどとすることが可能である。
【００２０】
座カバーの下向き装着口縁は、少なくとも対象椅子座の脚、座などとの連結部分を除く座外周壁とを一まとめに包囲するよう装着可能とする機能を担っており、対象椅子座の外周壁の周囲寸法よりも僅かに大きな開口縁を有して対象椅子座に対して着脱自在なものとしなければならず、例えば、下向き装着口縁が、該下向き装着口縁の開口寸法を、弾性的に縮小化可能な伸縮機能を有するものとすることができる外、座カバーの下向き装着口縁近傍に、該下向き装着口縁の開口寸法を、弾性的に縮小化可能な伸縮機能が与えられたものとすることが可能であり、さらに、該下向き装着口縁に左右前後の少なくとも一部か、または、全部かの何れか一方を対象パイプ椅子座の下面がわに抑え込むよう仮止め可能な捲れ防止機構が設けられたものとするのが望ましく、例えば、該下向き装着口縁の全周または一部に、対象椅子座の下面まで回り込み可能な下面収まり縁が設けられ、該下面収まり縁に沿って環ゴム、環紐、コイルバネなどの捲れ防止機構が設けられ、巾着袋状に締め付け装着可能なものとすることができる外、後述する実施例にも示しているように、一対のバンドの互いに重なり合う先端面夫々に、雄・雌の面ファスナーを設け、該一対のバンドの各々の基端が、該下向き装着口縁の前後または左右の何れか一方間に結合されてなるものとすることが可能であり、該一対のバンドが、該下向き装着口縁の左右端間中央の前後端間、および、該一対のバンドが該下向き装着口縁の前後間中央の左右間に設けられたものとすることができる。
【００２１】
座カバーの座面シート部は、付加クッションの天面壁を覆う機能を担い、付加クッションの天面壁を覆う座面シート部の外周縁に対して、周囲側面シート部の周壁上端が連続するよう設けられたものとすべきであり、座カバーの周囲側面シート部は、付加クッションの外周壁と、少なくとも対象椅子座の脚、座などとの連結部分を除く座外周壁とを一まとめに包囲可能とする機能を担っており、該周囲側面シート部の周壁下端に、下向き装着口縁が設けられたものとするのが望ましい。
【００２２】
捲れ防止機構は、装着対象となる椅子の座に、該座上に載置された付加クッション諸共、覆うよう上方から被着された座カバーが、不用意に捲れたり、脱落したりしてしまうのを防止可能とする機能を担っていて、座カバーの全体が伸縮性素材製のものとすることが可能な外、座カバーの下向き装着口に沿って装着された環ゴムや環紐からなり、該下向き装着口を対象椅子の座下に巾着状に窄まるよう締め付け可能なものとすることができ、後述する実施例中にも１つの例を示しているように、対象椅子の座下に左右端間、前後端間および対角線上の少なくとも何れか１つに差し渡し可能な１本または一対のバンドを有し、バンドの基端を該下向き装着口または周囲側面シート部の適所に結合し、１本のバンドの場合には、バンド先端と、対応する下向き装着口または周囲側面シート部の適所との間に、バックルなどの金具類や雄・雌一対の面ファスナーなどを設けて着脱自在とされたもの、また、一対のバンドの場合には、互いのバンド先端間に、バックルなどの金具類や雄・雌一対の面ファスナーなどが設けられて着脱自在とされたものなどとすることが可能である。
【００２３】
背カバーは、対象椅子の榻背に着脱自在に装着され、対象椅子の榻背周辺の美観を高めるよう装飾すると共に、対象椅子の榻背周辺を衛生的に被覆し、榻背の汚れや損傷などを視覚的に隠蔽可能な上、榻背の後面の外がわ適所に対し、表示札の該吊着部を着脱自在に吊り下げ可能とする機能を担い、対象椅子の榻背に被着可能な逆さ袋形状とされ、該逆さ袋形状の後面の外がわ適所に対し、表示札の吊着部を着脱自在な繋着部が設けられ、該繋着部に吊り下げられる表示札の吊着部を含む上部範囲を、隠蔽可能な隠蔽シートを有したものとしなければならず、該背カバーの全体が伸縮性素材製のものとすることができる外、前記座カバーと同様、布製、軟質合成樹脂シート製、皮革製、それらの組み合わせ素材製、布と合成樹脂の複合的素材製、各種素材製の網などとすることが可能であり、後述する実施例にも示すように、該座カバーとは別体であって、前面シート部、後面シート部の下端縁を除く外周部分が、対象パイプ椅子の榻背の輪郭形状に略一致するよう一体化されて下向き開口を有する逆さ袋形状とされ、該後面シート部の外面適所に対し、表示部の上部に吊着部が設けられた表示札の該吊着部を着脱自在に吊り下げ可能な繋着部としての上向き係合片が設けられ、該上向き係合片に吊り下げられる表示札の表示部よりも上方の吊着部を含む上部範囲を、対象パイプ椅子の榻背がわに向けて抑え込み可能且つ隠蔽可能な隠蔽シートを垂下状に有してなるものとするのが望ましく、該背カバーと座カバーとが、互いに同系色、および、互いに統一された柄の少なくとも何れか一方のものとされてなるものとすることができる。
【００２４】
背カバーの前面シート部は、装着対象椅子の榻背の前面がわを隠蔽状且つ衛生的に被覆し、背カバーの外的美観を高めると共に、後面シート部と一体化して背カバーの逆さ袋形状を形成可能なものとする機能を担っており、前面シート部の前後面何れか一方に同じ輪郭形状の榻背用クッションが一体化されたものとすることが可能な外、前面シート部が榻背用クッションに置き換えられたものとすることができる。
【００２５】
後面シート部は、装着対象椅子の榻背の後面がわを隠蔽状且つ衛生的に被覆し、背カバーの外的美観を高めると共に、前面シート部と一体化して背カバーの逆さ袋形状を形成する上、背カバーの後面適所に対し、表示部を着脱自在に吊り下げ可能とする機能を分担し、後述する実施例にも示すとおり、該後面シート部の外面適所に対し、表示部の上部に吊着部が設けられた表示札の該吊着部を着脱自在に吊り下げ可能な上向き係合片が設けられ、該上向き係合片に吊り下げられる表示札の表示部よりも上方の吊着部を含む上部範囲を、対象椅子の榻背がわに向けて抑え込み可能且つ隠蔽可能な隠蔽シートを垂下状に有したものとするのが望ましい。
【００２６】
背カバーの下向き開口は、背カバーを装着対象椅子の榻背に対して、上方から被着可能とする機能を担っており、該背カバーの全体を伸縮性素材製とすることができる外、該背カバーが伸縮性の低い素材製の場合には、対象椅子の榻背の平面輪郭形状よりも僅かに大きな開口寸法および形状のものとしなければならず、該下向き開口に沿って環ゴムや環紐などが設けられ、巾着袋状に窄まるように仮固定可能なものとすることが可能である。
【００２７】
背カバーの繋着部は、表示札の該吊着部を、対象椅子の榻背の後面適所に対して着脱自在に吊り下げ装着可能とする機能を担い、表示部の上部に吊着部が設けられた表示札の該吊着部を着脱自在に吊り下げ可能な着脱部分を有するものとしなければならず、例えば、表示札の吊着部に係合可能な上向きの係合部分を有する鈎金具、フック、釦、釘などの上向き係合片の外、表示札の吊着部と雄・雌の対をなす面ファスナー、Ｎ極・Ｓ極の対をなす永久磁石、表示札の吊着部を掴むクリップ、吸盤、安全ピン、針、画鋲、粘着剤層、接着剤層、両面粘着テープなどとすることが可能であり、後述する実施例にも示すように、背カバーの後面シート部が、上下端間中央付近にて、左右端間に亘り水平線状に切開されて上後面シート部と下後面シート部とに分割され、該上後面シート部が隠蔽シートとなり、該下後面シート部の上端寄りの内壁であって装着対象椅子の榻背の後壁に対峙する内壁の左右端間中央には、薄板状であって上端左右端間中央が上向きに突起する形状とされた上向き舌片の下端がわが一体化され、該上向き舌片の上向きに突起する上端がわが、該上後面シート部の装着対象椅子の榻背の後壁と、該上後面シート部の装着対象椅子の榻背の後壁に対峙する内壁との間に隠蔽されるよう上向き突出状に配置されてなるものとし、該上向き舌片が、表示札の左右端間幅よりも左右端間幅が狭く設定されたものとするのが良い。
【００２８】
背カバーの隠蔽シートは、該背カバーの後面の繋着部、および、該繋着部に対して吊下状に装着される表示札の吊着部を外がわから隠蔽状に包囲可能とする機能を分担し、表示札の吊着部を、対象椅子の榻背に向けて外がわから抑え込む機能を兼ね備えたものとするのが望ましく、後述する実施例にも示しているように、背カバーの後面シート部の上部の左右全幅にわたって帯状に配され、繋着部の後外側への露出部分を含む当該背カバーの上がわ範囲に相当する上端縁および左右端縁に対して一体化されてなるものとすることができる。
【００２９】
表示札は、装着対象となる椅子の榻背の後面適所に、所望の内容の表示がなされた表示部を、対象椅子の後方から視認し易い姿勢に吊下状且つ着脱自在に装着可能とする機能を担い、表示部の上部に、該背カバーの後面の繋着部に係合し吊り下げ可能となる吊着部が設けられたものとしなければならず、表示札の表示部は、対象椅子の榻背に表示すべき内容を、周囲から容易に視認できるよう表示可能とする機能を担っており、表示札の全体、または、少なくとも表示部の何れか一方が、透明な軟質合成樹脂製か、透明な硬質合成樹脂製かの何れか一方とするのが望ましく、表示部の表示シートの表示範囲に対応する範囲のみが、透明な合成樹脂か透明なガラスかの何れかからなるか、または、なにも無い窓枠状に開口されたものとするかされ、少なくとも該表示部が、金属製、木製、布製、合成皮革製、皮革製、セラミックス製、ガラス製、石材製、その他の硬質素材製、その他の軟質素材製、それら何れかの組み合わせられた素材製、または、それら何れかの複合素材製などの何れかのものとすることが可能であり、後述する実施例にも示すとおり、防水性を有する合成樹脂製の縦長封筒形状とされた状袋と、表面に目的の表示がなされた表示部用の表示シートとの組合せからなり、該状袋は、上端寄りとなる左右端間適所に、背カバーの繋着部としての上向き係合片に係合可能であって、該表示シートを出し入れ可能な形状および寸法とされた係合孔が開口され、該状袋の係合孔よりも下方には、該表示シートの表示範囲に相当する範囲が、透明合成樹脂製のものか、または、開口窓のものかの何れか一つとされた表示部としての挿入袋が設けられ、該挿入袋には、係合孔より装着可能な寸法、形状とされた該表示シートが、該係合孔を通じて出し入れ自在に装着されてなるものとすることができる。
【００３０】
装着対象となる椅子は、少なくとも座と榻背とを有する椅子とし、1人掛け用のものの外、２人掛け以上の椅子とすることが可能であり、例えば、イージーチェア、ラウンジチェア、シェーズロング、ロッキングチェア、ダイニングチェア、リビングチェア、カウンターチェア、ソファー、カウチチェア、オフィスチェア、スツール、ベンチ、キャンピングチェア、マッサージチェア、リクライニングシート、バケットシート、ディレクターチェア、ガーデンチェア、正座用椅子、バーバーチェア、入浴用椅子、その他の椅子などとすることができ、表現を変えると、木製椅子、金属製椅子、樹脂製椅子、肘掛け椅子、座椅子、事務用椅子、子供椅子、その他の椅子などと言うことができ、後述する実施例にも示しているが、折り畳み機構を有した折り畳み式のパイプ椅子とすることができる。
以下では、図面に示すこの発明を代表する実施例と共に、その構造について詳述することとする。                                                                                                
【図面の簡単な説明】
【００３１】
図面は、この発明の椅子用表示機能付きカバーセットの技術的思想を具現化した代表的な一実施例を示すものである。
【図１】装着対象椅子に装着した椅子用表示機能付きカバーセットを示す斜視図である。
【図２】対象椅子に搭載する付加クッションを示す斜視図である。
【図３】対象椅子に装着した椅子用表示機能付きカバーセットを一部断面化して示す正面図である。
【図４】対象椅子に装着した椅子用表示機能付きカバーセットを断面化して示す側面図である。
【図５】対象椅子に装着した椅子用表示機能付きカバーセットを一部断面化して示す背面図である。
【図６】対象椅子に装着した背カバーおよび表示札を示す背面図である。
【図７】対象椅子に装着される背カバーおよび表示札を断面化して示す側面図である。
【図８】対象椅子に装着された背カバーおよび表示札を断面化して示す側面図である。
【図９】上向き舌片が貫通状に係合された表示札を断面化して示す側面図である。
【実施例１】
【００３２】
図１ないし図８に示す事例は、装着対象となる椅子９の座９０上に載置可能な付加クッション１、該付加クッション１を搭載した対象椅子９の座９０に上方から外装可能な形状の座カバー２、対象椅子９の榻背９１に被着可能な逆さ袋形状とされ、該逆さ袋形状の後面６の外がわ適所に対し、表示札８の吊着部８０を着脱自在な繋着部７が設けられ、該繋着部７に吊り下げられる表示札８の吊着部８０を含む上部範囲を、隠蔽可能な隠蔽シート６０を有した背カバー４、および、表示部８１の上部に吊着部８０が一体化された表示札８が組み合わせられてなるものとした、この発明の椅子用表示機能付きカバーセットにおける代表的な一実施例を示すものである。
【００３３】
それら各図からも明確に把握できるとおり、この発明の椅子用表示機能付きカバーセットは、前記装着対象となる椅子９は、座９０と前後脚９２,９２、および榻背９１との連結箇所に折り畳み機構９３を有した折り畳み式のパイプ椅子９とすることが可能であり、以下に、該折り畳み式のパイプ椅子９専用のものとされた、個の発明の椅子用表示機能付きカバーセットについて示して行くこととする。
【００３４】
付加クッション１は、その平面形状がパイプ椅子９の座９０の平面形状に略一致する矩形袋状の防水性を確保した合成皮革製のクッション袋１０中に、分な厚みの軟質発泡樹脂製のクッション材１１を封入され、該座９０上に安定載置可能な平面状か、または、中央が僅かに上向きに湾曲された下向き凹面形状かの何れか一方の底面形状とされてなるものである。
【００３５】
図１、図２および図３ないし図５に示すように、座カバー２は、その全体が白色の布製のものとされ、該付加クッション１の天面壁を覆う座面シート部２０、該座面シート部２０の外周縁に連続し、該付加クッション１の外周壁と、少なくとも対象パイプ椅子９座９０と脚９２，９２などとの折り畳み機構９３を含む連結部分を除く座外周壁とを一まとめに包囲可能な周囲側面シート部２１、該周囲側面シート部２１の下端に設けられた下向き装着口縁２２、および、該下向き装着口縁２２の該折り畳み機構９３よりも僅かに前方となる左右間に、先端に雄・雌の面ファスナー３２,３２が設けられた一対のバンド３０,３１の基端が夫々結合され、該下向き装着口縁２２の左右を対象パイプ椅子座の下面がわに抑え込むよう仮止め可能な捲れ防止機構３を有するものとしてある。
【００３６】
図３ないし図７に示すように、背カバー４は、前記座カバー２とは別体であって、しかも該座カバー２と同じく全体が白色の布製のものとされ、前面シート部５、後面シート部６の下端縁を除く左縁から上縁および右縁と連続する外周部分が、対象パイプ椅子９の榻背９１の輪郭形状に略一致するよう一体化されて下向き開口６２を有する逆さ袋形状とされ、該後面シート部６の外面適所に対し、表示部８１の上部に吊着部８０が設けられた表示札８の該吊着部８０を着脱自在に吊り下げ可能な繋着部７としての上向き係合片７０が設けられ、該上向き係合片７０に吊り下げられる表示札８の表示部８１よりも上方の吊着部８０を含む上部範囲を、対象パイプ椅子の榻背がわに向けて抑え込み可能且つ隠蔽可能な隠蔽シート６０を垂下状に有したものとされている。
【００３７】
図６ないし図８を参照してさらに具体的に示すと、背カバー４の後面シート部６は、該背カバー４の上下端間中央付近よりも下がわの左右端間に掛け渡された帯状の下後面シート部６１と、該背カバー４の上下端間中央付近よりも上がわの左右端間に掛け渡され、上縁に吊り下がるよう掛け渡されて一体化された隠蔽シート（上後面シート部）６０とからなり、前記繋着部７は、図３ないし図８に示すように、上下に長い矩形平板状のものであって、上下端間の中途適所よりも下がわが、下後面シート部６１の榻背９１と対峙する内側面（前面）に重なるよう結合され、上下端間の中途適所よりも上がわが、上向き舌片状の輪郭形状とされた上向き舌片７０とされ、該上向き舌片７０が、下後面シート部６１の上端縁よりも上がわに突出し、しかも隠蔽シート（上後面シート部）６０の榻背９１と対峙する内側面（前面）よりも榻背９１がわ（内がわ）に配して、該隠蔽シート（上後面シート部）６０によって視覚的に隠蔽されたものとなっている。
【００３８】
前記繋着部７は、合成樹脂製の矩形平板状のものとすることが可能であるが、図４、図７および図８に示すように、合成樹脂製の矩形平板状の上下端間中途適所が、表示札８の厚み分程度、上端がわが厚み方向の外がわ（榻背９１よりも後方）に向けてクランク断面形状に折曲され、該クランク断面形状に折曲された部分よりも上方が、上向き係合片７０としての上向き舌片７０とされてなるものとすることが可能である。
【００３９】
図１、図３ないし図８に示すように、表示札８は、基本的に防水性を有する透明合成樹脂製の縦長封筒形状とされた状袋８と、表面に目的の表示がなされた表示部８１用の表示シート８３との組合せからなり、該状袋８は、縦長矩形状の透明樹脂シート２枚の外周縁を熔着または接着するなどして上下端が密閉された筒状に一体化され、上端寄りとなる左右端間適所の榻背９１に対峙する榻背９１がわ袋壁のみに、前記背カバー４の繋着部７としての上向き係合片７０としての上向き舌片７０に係合可能であって、該表示シート８３を出し入れ可能な形状および寸法とされた水平溝状の係合孔８０が、厚み方向に該状袋８内まで貫通するよう開口され、該状袋８の係合孔８０よりも下方の有底筒状の空間が、該表示シート８３を装着可能な内部寸法の表示部８１としての挿入袋８２とされ、該挿入袋８２には、該係合孔８０より装着可能な寸法、形状であって表面に目的の表示がなされた該表示シート８３が、該係合孔８０を通じて出し入れ自在に装着されてなるものである。
【００４０】
また、図９に示すように、表示札８の係合孔８０は、状袋８の上端寄りとなる左右端間適所の榻背９１に対峙する榻背９１がわ袋壁、および、これとは反対がわとなる上後面シート部（隠蔽シート）６０がわ袋壁、の双方の厚み方向に貫通されたものとすることが可能である。
【００４１】
（実施例１の作用・効果）
以上のとおりの構成からなるこの発明の椅子用表示機能付きカバーセットは、体育館などの広い建物内や屋外などで行われる式典や祭事、行事などの際に、整然と配列するよう設置された複数の折り畳み式パイプ椅子９,９,……の夫々に一脚に対して１セットずつ装着するものであり、図１ないし図８に示すように、折り畳み式パイプ椅子９の座９０上に付加クッション１を積層状に載置した上、下向き装着口２２を下向きに開口する姿勢とした座カバー２を、該付加クッション１諸共、該座９０に対して上方より、外皮状に装着し、座面シート部２０が、付加クッション１の天面壁を覆い、周囲側面シート部２１が、該付加クッションの外周壁と、折り畳み式パイプ椅子９の座９０の脚９２，９２、座９０などとの連結部分である折り畳み機構９３を除いた座９０の外周壁とを一まとめに包囲するよう外装し、さらに、座９０の左右下方に垂れ下がった捲れ防止機構３のバンド３０,３１の先端同士を、同座９０の直下で重ね合わせるようにして雄・雌の面ファスナー３２,３３を着脱自在に接着し、座カバー２の捲れを防止することが可能となる。
【００４２】
さらに、折り畳み式パイプ椅子９の榻背９１に対して、上方より、逆さ袋形状の背カバー４の下向き開口６２から、前面シート部５が榻背９１の前面、後面シート部６が榻背９１の後面に対峙して、榻背９１の外郭形状に沿う外皮状を呈するよう外装した上、当該状袋（表示札）８は、係合孔８０の下部に設けられた表示部８１としての挿入袋８２に、表面に個人名や企業名、団体名などの所望の表示がなされた表示シート８３を、係合孔８０を通じて着脱自在に装着し、後面シート部６の上後面シート部６０である隠蔽シート６０の内側に隠蔽された繋着部７としての上向き舌片７０に対して、状袋（表示札）８の係合孔（吊着部）８０を被せるように装着し、上向き舌片７０の上端が、状袋（表示札）８の密閉状に結合された上端縁内側に接合するように係合し、該上向き舌片７０に対して状袋（表示札）８が吊り下げられた状態となり、該状袋（表示札）８の係合孔（吊着部）８０を含む上部が、榻背９１と隠蔽シート６０との間に隠蔽されると共に、該隠蔽シート６０の左右端および上端の外周縁が、前面シート部５外周縁との結合縁によって牽引され、その張力によって状袋（表示札）８の上部隠蔽範囲を榻背９１がわへ引き付けるように抑え込み、上向き舌片７０と係合孔８０との嵌合状態をより確実に保持可能なものとなる。
【００４３】
図９に示すように、状袋（表示札）８の係合孔（吊着部）８０が、状袋（表示札）８の厚み方向の表裏に貫通するよう穿設された一文字状の貫通孔形状のものとされたものは、繋着部７の上向き舌片７０が、係合孔（吊着部）８０の榻背９１がわから後方外がわに向けて隠蔽シート６０の榻背９１に対峙する面がわまで完全に貫いた状態に装着することが可能である。
【００４４】
以上のようにして装着された、この発明の椅子用表示機能付きカバーセットは、座カバー２および背カバー４の少なくとも外表面となる表層の全体が、同じ白色の布地に統一されているから、折り畳み式パイプ椅子９の外観上の全体的な統一感を高め、会場全体の格調を格段に高めるものとなり、しかも座カバー２は、折り畳み機構９３を避けるように装着されるから、パイプ椅子９は、当該椅子用表示機能付きカバーセットが装着されたままであっても、そのまま折り畳んで運搬および保管することが可能である。
【００４５】
（結  び）
叙述の如く、この発明の椅子用表示機能付きカバーセットは、その新規な構成によって所期の目的を遍く達成可能とするものであり、しかも製造も容易で、軽量且つ簡素な構造とすることができ、従前から利用されている既存の椅子に対して、簡単且つ迅速に装着することが可能であり、装着を完了した椅子は、優れた衛生を確保することができるから、多くの人々が集まる式典などの行事に有効な上、会場全体に品位と統一感を与えることができ、使用後は速やかに椅子から取り外してクリーニングし、清潔に保ちながら再利用できるから、経済性に秀でており、従前までは使い古された椅子であっても、そのまま利用せざるを得なかった各種式典や祭事、各種行事などを執り行う主催者はもとより、多数の参加者を集める企業や団体、および、様々な会場の設置に携わるイベント業界や、会場用設備類を取り扱うレンタル業界などにおいても高く評価され、広範に渡って利用、普及していくものになると予想される。                                    
【符号の説明】
【００４６】
１      付加クッション
１０    同  クッション袋
１１    同  クッション材
２      座カバー
２０    同  座面シート部
２１    同  周囲側面シート部
２２    同  下向き装着口
３      捲れ防止機構
３０    同  バンド
３１    同  バンド
３２    同  雄の面ファスナー
３３    同  雌の面ファスナー
４      背カバー
５      前面シート部５（前面）
６      後面シート部６（後面）
６０    同  隠蔽シート（上後面シート部）
６１    同  下後面シート部
６２    同  下向き開口
７      繋着部
７０    同  上向き舌片（上向き係合片）
８      状袋（表示札）
８０    同  係合孔（吊着部）
８１    同  表示部
８２    同  挿入袋
８３    同  表示シート
９      折り畳み式パイプ椅子（椅子）
９０    同  座
９１    同  榻背
９２    同  脚
９３    同  折り畳み機構
【図１】
2019017446.tif 000003
【図２】
2019017446.tif 000004
【図３】
2019017446.tif 000005
【図４】
2019017446.tif 000006
【図５】
2019017446.tif 000007
【図６】
2019017446.tif 000008
【図７】
2019017446.tif 000009
【図８】
2019017446.tif 000010
【図９】
2019017446.tif 000011